(57)【要約】デジタルデータ記憶アセンブリ2は、対向する第１及び第２の面14,17を持つ薄いフィルムデータ、アーチ状部97,97'及び直線部94,94'で決定される開口20、及び開口20内へ部分的に延在するタブ23,26を持つ薄いフィルムデータ記憶媒体11を含む。アセンブリ2は第１及び第２の表面32,35及び開口38を含む硬質支持体29も含む。アセンブリ2は更に硬質支持体29の開口38の周囲の少なくとも部分に位置するロック装置41を含む。ロック装置は棚44,47を含む。棚及びその下の硬質支持体29の第１の表面32の部分53は開放端59及び閉塞端56を持つスロット62を決定する。記憶媒体11の第２の表面17は硬質支持体29の第１の面32の一部に接する。記憶媒体11及び支持体の両開口は整列する。記憶媒体11はそれのタブ23,26をスロット62,62'内に組込むことで支持体29に表裏反転可能に固定される。
2006504223.tif 000002
【特許請求の範囲】
【請求項１】
デジタルデータ記憶アセンブリであり、
(a)実質的に対向する第１および第２の表面を有し、実質的に対向する一対のアーチ形の側部および、実質的に対向する一対の実質的な直線部により部分的に決定された十字形の開口および、部分的に前記開口内に延在する少なくとも１つのタブを有する薄いフィルムデータ記憶媒体と、
(b)実質的に対向する第１および第２の表面、および開口を有する硬質の支持体と、および
(c)前記硬質の支持体の前記開口の回りに少なくとも部分的に位置するロック装置とを備え、
このロック装置は、前記硬質の支持体の第１の表面の部分の上方に延在する少なくとも１個の棚を備え、前記棚は、上面と下面を有し、前記硬質の支持体の第１の表面の部分が前記棚の下に位置し、前記棚の下面および、前記棚の下に位置する前記硬質の支持体の第１の表面の前記部分が共に、前記薄いフィルムデータ記憶媒体のタブを表裏反転可能に受け取り、かつ、表裏反転可能に固定するようにサイズが設定された先細りのスロットを決定し、前記先細りのスロットは開口端および閉塞端を有し、
前記薄いフィルムデータ記憶媒体の第２の表面は、少なくとも前記硬質の支持体の第１の表面の少なくとも一部に接し、前記薄いフィルムデータ記憶媒体の十字形の開口(a)、および前記硬質の支持体の開口(b)は実質的に並べられ、そして、前記薄いフィルムデータ記憶媒体のタブが前記先細りのスロット内に表裏反転可能に受け取られることにより、前記薄いフィルムデータ記憶媒体は、前記硬質の支持体に表裏反転可能に固定されるデジタルデータ記憶アセンブリ。
【請求項２】
前記硬質の支持体の開口は、実質的に円形であり、前記ロック装置の棚は環状の棚であり、そして、前記先細りのスロットは環状の先細りのスロットである請求項１記載のデジタルデータ記憶アセンブリ。
【請求項３】
前記先細りのスロットは、前記棚下方の前記硬質の支持体の前記第１の表面の前記部分に対して、下に傾けられた前記棚の下面により決定され、前記棚下方の、前記硬質の支持体の前記第１の表面の部分は実質的に平面である請求項１記載のデジタルデータ記憶アセンブリ。
【請求項４】
前記先細りのスロットは、実質的に平面である前記棚の下面により決定され、前記棚下方の、前記硬質の支持体の前記第１の表面の前記部分は、前記棚の下面に対して、上に傾けられる請求項１記載のデジタルデータ記憶アセンブリ。
【請求項５】
前記先細りのスロットは、前記棚下方の、前記硬質の支持体の前記第１の表面の前記部分に対して、下に傾けられた前記棚の下面により決定され、そして、前記棚下方の、前記硬質の支持体の前記第１の表面の前記部分は、前記棚の下面に対して、上に傾けられる請求項１記載のデジタルデータ記憶アセンブリ。
【請求項６】
前記硬質の支持体は、くぼんだ領域を持ち、前記くぼんだ領域は、少なくとも前記硬質の支持体の第１の表面により決定され、前記くぼんだ領域は、前記薄いフィルム記憶媒体(a)を表裏反転可能に受け取れるようにサイズが設定され、そして、前記硬質の支持体の開口は、前記くぼんだ領域内に位置する請求項１記載のデジタルデータ記憶アセンブリ。
【請求項７】
前記薄いデータ記憶媒体は、フレキシブルな薄いフィルムデータ記憶媒体である請求項１記載のデジタルデータ記憶アセンブリ。
【請求項８】
実質的に整列された、薄いフィルムデータ記憶媒体(a)および前記硬質の支持体(b)の開口は、コンパクトディスクプレーヤ、表裏反転可能のコンパクトディスクプレーヤ、ビデオディスクプレーヤ、およびDVDディスクプレーヤからなるグループから選択されたディスクドライブシステムのスピンドル駆動を受け取れるように、互いにサイズが設定される請求項１記載のデジタルデータ記憶アセンブリ。
【請求項９】
前記薄いフィルムデータ記憶媒体(a)は、コンパクトディスク、薄いフィルムのコンパクトディスク、薄いフィルムのビデオディスクおよび薄いフィルムのDVDディスクからなるグループから選択されてもよい請求項１記載のデジタルデータ記憶アセンブリ。
【請求項１０】
前記硬質の支持体(b)は、デジタルアクセス装置のレーザビームに対して透明の材質から形成され、前記材質は、熱可塑性の重合体、無機質のガラスおよびそれらの結合から選択される請求項１記載のデジタルデータ記憶アセンブリ。
【請求項１１】
前記デジタルアクセス装置は、コンパクトディスクプレーヤ、書き換え可能なコンパクトディスクプレーヤ、ビデオディスクプレーヤおよびDVDプレーヤからなるグループから選択されてもよい請求項１０記載のデジタルデータ記憶アセンブリ。
【請求項１２】
前記硬質の支持体(b)は、熱可塑性材料から形成され、かつ、前記レーザビームを前記薄いフィルムデータデータ記憶媒体の第２の面上に合焦させるレンズとして機能するようにサイズが設定される請求項１０記載のデジタルデータ記憶アセンブリ。
【請求項１３】
前記硬質の支持体(b)は、熱可塑性の重合体、無機のガラス、およびそれらの組み合わせを含む。望ましくは、硬質の支持体は、ポリカーボネート; ポリエチレンテレフタレート; ポリスチレン; ポリウレタンエラストマー; スチレンおよびジエンゴムを備える単量体から準備されたグラフト共重合体; 周期的なポリオレフィン; アクリル重合体; およびそれの組み合わせから選択された熱可塑性の重合体から形成される請求項１０記載のデジタルデータ記憶アセンブリ。
【請求項１４】
前記薄いフィルムデータ記憶媒体(a)は、ポリカーボネート、ポリエチレンテレフタレート; ポリスチレン; スチレンおよびジエンゴムを備える単量体から準備されたグラフト共重合体; 周期的なポリオレフィン; アクリルの重合体; およびそれの組み合わせからなるグループから独自に選択された少なくとも１つの層の熱可塑性の材料を含む請求項１記載のデジタルデータ記憶アセンブリ。
【請求項１５】
前記ロック装置(c)は、熱可塑性ポリウレタン樹脂、熱可塑性のポリウレ、熱可塑性のポリイミド、熱可塑性のポリアミド、熱可塑性のポリアミドマイド、熱可塑性のポリエステル、熱可塑性のポリカーボネート、熱可塑性のポリスルホン、熱可塑性のポリケトン、熱可塑性のポリプロピレン、熱可塑性のアクリロニトリルブタジエンスチレン、およびそれらの１つ以上を含む熱可塑性の化合物からなるグループの部材から選択された熱可塑性の材料から組み立てられる請求項１記載のデジタルデータ記憶アセンブリ。
【請求項１６】
前記ロック装置(c)は、グラスファイバー、炭素ファイバー、金属繊維、ポリアミド系繊維、およびそれの組み合わせから選択された材料で補強される請求項１５記載のデジタルデータ記憶アセンブリ。
【請求項１７】
前記硬質の支持体(b)の開口は、実質的に円であり、前記薄いフィルムデータ記憶媒体(a)の円形の開口は、前記硬質の支持体(b)の開口の周囲に、かつ、前記ロック装置(c)の周囲に適合するようにサイズが設定され、
前記薄いフィルムデータ記憶媒体(a)は、前記データ記憶媒体の円形の開口内に部分的に延在する二つのタブを有し、そのタブは、互いに180°の角度で設けられ、
前記ロック装置(c)は、実質的に互いに180°の角度で設けられた二つの先細りの環状スロットを有し、二つのタブが互いに表裏反転可能に受け取られ、かつ、前記薄いフィルムデータ記憶媒体(a)をロック装置(c)の周囲で回転することにより、環状の先細りのスロット内へ表裏反転可能に固定されるように、各先細りの環状スロットの開放端は、他方からオフセットされたものである請求項１記載のデジタルデータ記憶アセンブリ。
【請求項１８】
前記ロック装置の棚は、前記先細りのスロットの開放端に対して実質的に対向する、ロット閉塞側を有し、前記棚の前記閉塞側は、前記棚の上面から前記硬質の支持体の第１の表面に対し、下に傾けられた斜面を持つ請求項１記載のデジタルデータ記憶アセンブリ。
【請求項１９】
薄いフィルムデータ記憶媒体であり、
(i) 実質的に対向する第１および第２の表面を有し、そして開口を有する硬質の支持体と、
(ii) 前記硬質の支持体の前記開口の周囲に少なくとも部分的に位置するロック装置とを備え、
このロック装置は、前記硬質の支持体の第１の表面の一部の上方に延在する少なくとも１個の棚を備え、前記棚は、上面と下面を有し、前記硬質の支持体の第１の表面の部分が前記棚の下に位置し、前記棚の下面および、前記棚の下に位置する前記硬質の支持体の第１の表面の前記部分が共に、先細りのスロットを決定し、前記先細りのスロットは開口端および閉塞端を有し、
前記先細りのスロットは、前記薄いフィルムデータ記憶媒体のタブを表裏反転可能に受け取り、かつ、表裏反転可能に固定するようにサイズが設定され、
前記薄いフィルムデータ記憶媒体は、実質的に対向する第１および第２の表面を有し、実質的に対向する一対のアーチ形の側面および実質的に対向する一対の実質的に直線の側面により決定された十字形の開口を有し、そして、部分的に前記開口内に延在する少なくとも１つのタブを有し、
前記薄いフィルムデータ記憶媒体の第２の表面は、前記タブが表裏反転可能に受け取られ、かつ、前記先細りのスロット内に固定された時、前記硬質の支持体の第１の表面の少なくとも一部に接する薄いフィルムデータ記憶媒体。
【請求項２０】
前記硬質の支持体の開口は、実質的に円であり、前記ロック装置の棚は、環状の棚であり、前記先細りのスロットは環状の先細りのスロットである請求項１９記載の薄いフィルムデータ記憶媒体。
【請求項２１】
前記先細りのスロットは、前記棚下方の、前記硬質の支持体の前記第１の表面の前記部分に対し、下に傾けられた、前記棚の下面により決定され、
前記棚下方の前記硬質の支持体の前記第１の表面の前記部分は、実質的に平面である請求項１９記載の薄いフィルムデータ記憶媒体。
【請求項２２】
前記先細りのスロットは、実質的に平面な前記棚の下面により決定され、前記棚下方の、前記硬質の支持体の前記第１の表面の前記部分は、前記棚の下面に対し、上に傾けられる請求項１９記載の薄いフィルムデータ記憶媒体。
【請求項２３】
前記先細りのスロットは、前記棚下方の、前記硬質の支持体の前記第１の表面の前記部分に対し、下に傾けられた、前記棚の下面により決定され、前記棚下方の前記硬質の支持体の前記第１の表面の前記部分は、前記棚の下面に対し、上に傾けられる請求項１９記載の薄いフィルムデータ記憶媒体。
【請求項２４】
前記硬質の支持体は、デジタルアクセス装置のレーザビームに対して透明な熱可塑性材質から形成される請求項１９記載の薄いフィルムデータ記憶媒体。
【請求項２５】
前記硬質の支持体は、熱可塑性材料から形成され、かつ、前記レーザビームを、前記薄いフィルムデータデータ記憶媒体の第２の面上に合焦させるレンズとして機能するようにサイズが設定される請求項２４記載の薄いフィルムデータ記憶媒体。
【請求項２６】
実質的に対向する一対の環状の側部、および実質的に対向し、実質的に直線の側部により決定される円形の開口を持つ薄いフィルムデータ記憶媒体。
【請求項２７】
前記円形の開口は、前記薄いフィルムデータ記憶媒体の中央の領域に位置する請求項２６記載の薄いフィルムデータ記憶媒体。
【請求項２８】
デジタルデータ記憶アセンブリであり、
(a)中央に開口を有する硬質の支持体と、
(b)中央の開口の周囲に対して固定されたロック装置と、および
(c)中央の開口を有し、ディスクの中央開口を支持体の中央開口に一致させ、かつ、ディスクの中央開口を支持体のロック装置内に延在させることで、支持体上で平面に組み立てられるように適合されたフレキシブルなディスクとを備え、
(d)ディスクの前記中央の開口は、対向するアーチ状エッジにより少なくとも一部が限定される円状部分と、前記円状部分から外側へ延在し、そして少なくとも１つのくぼみエッジにより限定される少なくとも１つのくぼみ部分を持ち、
(e)前記ディスクおよび支持体は前記くぼみエッジを前記ロック装置にロックして係合するために、１方向に相対的に回転可能であり、これにより、ディスクを支持体に固定し、そして、支持体からディスクを取り外すために、相対的に反対方向に回転可能であるデジタルデータ記憶アセンブリ。
【請求項２９】
前記くぼみは一般に方形である請求項２８記載のデジタルデータ記憶アセンブリ。
【請求項３０】
前記少なくとも１つのくぼみのエッジは実質的に直線である請求項２８記載のデジタルデータ記憶アセンブリ。
【請求項３１】
前記くぼみは、中央の開口の前記円形のそれぞれのアーチ状エッジから外側へ延在する第１および第２の側部のエッジ、および、前記円形から半径の外側方向に隔てられた前記第１および第２の間に延在する第３のエッジにより決定される請求項２８記載のデジタルデータ記憶アセンブリ。
【請求項３２】
前記第１および第２のエッジは、実質的に直線である請求項３１記載のデジタルデータ記憶アセンブリ。
【請求項３３】
前記第１および第２のエッジは、実質的に平行である請求項３２記載のデジタルデータ記憶アセンブリ。
【請求項３４】
前記第３のエッジは、実質的に直線である請求項３２記載のデジタルデータ記憶アセンブリ。
【発明の詳細な説明】
【発明の詳細な説明】
【０００１】
この発明は、ストレージに固定支柱のすきまの周りに少なくとも部分的に位置決めされた開口を有する薄いフィルムデータ記憶媒体、開口を有する硬質支持体および、少なくとも硬質支持体の開口の回りに位置するロック装置を含むデジタルデータ記憶アセンブリに関する。記憶媒体の開口は、環状部分および、環状部分から外側方向に延在する少なくとも１つのくぼみ部分を持つ。ロック装置は、硬質支持体の上側表面の上方に延在する少なくとも１つの棚を含み、その二つは一体となって、開放端および閉塞端を有する先細りするスロットを決定する。細いフィルムデータ記憶媒体は、円形部分の１つのエッジとくぼみ部分の１つのエッジとの交差によって形成された少なくとも１つのタブを持つ。望ましくは、記憶媒体は光学的に読み込み可能であり、例えば、薄いフィルムのコンパクトディスクである。細いフィルムデータ記憶媒体は、表裏反転可能に受け取られ、かつ、先細りのスロット内に固定されている、タブの手段により、(例えば、細いフィルムデータ記憶媒体をロック装置の周りで回転させることにより)硬質支持体に表裏反転可能に固定される。
【０００２】
データ記憶媒体は、コンパクトディスクや、書き換え可能なコンパクトディスクや、ビデオディスクやDVDディスクなどのような光学的に読み込み可能なものを含む。追加的に、コンパクトディスクなどの光学的に読み込み可能なデータ記憶媒体は、通常硬質で熱可塑性の射出成形ステップを含む工程で作られる。射出成形のステップは、通常、与えられた時間内で用意できるユニット数を制限する。さらに、硬質のコンパクトディスクなどの硬質の光学的に読み込み可能なデータ記憶媒体は、スペースおよびマーケティングとそれの輸送を制限する保存構成要件を持つ。例えば、硬質のコンパクトディスクは、ディスクの欠けまたは壊滅的な折損をもたらす、曲げを最小となるように、物理的に収納され、輸送しなければならない。
【０００３】
より最近では、細いフィルムデータ記憶媒体は、薄いフィルムのフレキシブルコンパクトディスクのように発達しており、硬質のコンパクトディスクの利点(つまり高いデータ保存能力)に、改善された物理的な保存および輸送の能力を組み合わせる。一般に、細いフィルムフレキシブルなデータ記憶媒体の生産速度は、硬質のデータ記憶媒体のものより大きい。通常、フレキシブルなデータ記憶媒体は、制限する射出成形のステップを用いずに準備でき、例えば、１枚の熱プラスチック材料からデータで浮彫りにされた薄いフィルムのフレキシブルディスクをカットすることにより準備できる。
【０００４】
硬質のコンパクトディスクのように、元来、硬質の媒体の使用に適合された光学デジタルアクセス装置で使用されるなら、薄いフレキシブルなデータ記憶媒体は一般に、例えば、堅いアダプターかレンズの手段によって別に支持されなければならない。これまでのところで開発された硬質のアダプターは、展開して、使用に通常複雑にされる、および/または、薄いフィルムデータ記憶媒体を適切に表裏反転可能に固定して用いるか/または実施するためには、複雑化した。硬質のアダプターに薄いフィルムデータ記憶媒体を表裏反転可能に固定することは、薄いフィルムデータ記憶媒体の切り換えを容易にし、光学的デジタルアクセス装置、つまりコンパクトディスクプレーヤでの使用において、薄いフィルムデータ媒体を適切な位置に適切に保持させる。
【０００５】
さらに使いやすさを提供する薄いフィルムデータ記憶アセンブリを開発することが望ましい。さらに、そのような新たに開発された薄いフィルムデータ記憶媒体が、硬質のアダプタ(そこに薄いフィルムデータ媒体、つまり薄いフィルムのフレキシブルのコンパクトディスクを表裏反転可能に固定できる)を含むことは望ましい。
【０００６】
米国特許番号 5,579,296と5,869,163は、薄いフィルムデータ記憶媒体を含んでいる薄いフィルムデータ記憶媒体、および時間的に細いフィルムデータ記憶媒体を受け取り、支持する再利用できるアダプターを開示している。アダプターは、薄いフィルムデータ記憶媒体のタブを受け取るための端部を備えたスロットを持つ回転するロック機構を含むかもしれない。
【０００７】
この発明によると、デジタルデータ記憶アセンブリが提供され、これは、
(a)実質的に対向する第１および第２の表面、つまり実質的に平行な第１および第２の表面を有し、実質的に対向する一対のアーチ形の側部および、実質的に対向し、実質的に直線の一対の側部により部分的に決定された十字形の開口および、部分的に前記開口内に延在する少なくとも１つのタブを有する薄いフィルムデータ記憶媒体と、
(b)実質的に対向する第１および第２の表面、つまり実質的に平行な第１および第２の表面を有し、そして開口を有する硬質の支持体と、および(c)前記硬質の支持体の前記開口の周囲に少なくとも部分的に位置するロック装置とを備え、
このロック装置は、前記硬質の支持体の第１の表面の部分の上方に延在する少なくとも１個の棚を備え、前記棚は、上面と下面を有し、前記硬質の支持体の第１の表面の部分が前記棚の下に位置し、前記棚の下面および、前記棚の下に位置する前記硬質の支持体の第１の表面の前記部分が互いに、前記薄いフィルムデータ記憶媒体のタブを表裏反転可能に受け取り、かつ、表裏反転可能に固定するようにサイズが設定された先細りのスロットを限定し、前記先細りのスロットは開口端および閉塞端を有し、
前記薄いフィルムデータ記憶媒体の第２の表面は、少なくとも前記硬質の支持体の第１の表面の少なくとも一部に接し、前記薄いフィルムデータ記憶媒体の十字形の開口(a)、および前記硬質の支持体の開口(b)は実質的に並べられ、そして、前記薄いフィルムデータ記憶媒体は、前記先細りのスロット内で表裏反転可能に受け取られた、前記薄いフィルムデータ記憶媒体のタブによって表裏反転可能に固定される。
【０００８】
更にこの発明によれば、薄いフィルムデータ記憶媒体が提供されており、これは、
(i) 実質的に対向する第１および第２の表面を有し、そして開口を有する硬質の支持体と、
(ii) 前記硬質の支持体の前記開口の周囲に少なくとも部分的に位置するロック装置とを備え、
このロック装置は、前記硬質の支持体の第１の表面の部分の上方に延在する少なくとも１個の棚を備え、前記棚は、上面と下面を有し、前記硬質の支持体の第１の表面の部分が前記棚の下に位置し、前記棚の下面および、前記棚の下に位置する前記硬質の支持体の第１の表面の前記部分が共に、先細りのスロットを限定し、前記先細りのスロットは開口端および閉塞端を有し、
前記傾斜スロットは、上述したように、前記薄いフィルムデータ記憶媒体のタブを表裏反転可能に受け取り、かつ、表裏反転可能に固定するようにサイズが設定され、これにより、前記薄いフィルムデータ記憶媒体が、薄いフィルムデータ記憶媒体の支持体に表裏反転可能に固定される。
【０００９】
この発明によると、十字形の開口を持っている薄いフィルムデータ記憶媒体が提供される。
【００１０】
この発明のさらに別の態様では、デジタルデータ記憶アセンブリが提供され、これは、
(a)中央に開口を有する硬質の支持体と、
(b)中央の開口の周囲に対して固定されたロック装置と、および
(c)中央の開口を有し、ディスクの中央開口を支持体の中央開口に一致させ、かつ、ディスクの中央開口を支持体のロック装置内に延在させることで、支持体上で平面に組み立てられるように適合されたフレキシブルなディスクとを備え、
(d)ディスクの前記中央の開口は、対向するアーチ状エッジにより少なくとも一部が限定される円状部分と、前記円状部分から外側へ延在し、そして少なくとも１つのくぼみエッジにより限定される少なくとも１つのくぼみ部分を持ち、
(e)前記ディスクおよび支持体は前記くぼみエッジを前記ロック装置にロックして係合するために、１方向に相対的に回転可能であり、これにより、ディスクを支持体に固定し、そして、支持体からディスクを取り外すために、相対的に反対方向に回転可能である。
【００１１】
この発明を特徴付ける特徴は、特にクレームにおして指摘され、そのクレームは、この明細書に添付され、また、この明細書の一部を構成する。この発明のこれらおよび他の特徴、その動作の利点、および特定の目的は以下の詳述な説明および添付図面から、より完全に理解されるであろう。
【００１２】
別に指示されていないなら、明細書およびクレームで用いられた、構造的な寸法、プロセスの状態などのような、すべての番号および表現は、すべての例で“およそ”という用語により、変更されることが理解される。
【００１３】
この発明の詳細な説明
図１〜１０において、同じ参照番号および記号は、同じ要素および構造的な特徴を示す。図面の図１を参照すると、この発明によるデジタルデータ記憶アセンブリ2の展開図が示される。アセンブリ2は、薄いフィルムデータ記憶媒体11(広い意味で「フレキシブルジスク」)を含む。媒体11は実質的に対向する第１の表面14と第２の表面17および中央の開口20を持つ。１実施例では、開口20は一般に円形である。図１および７を参照すると、開口20は、一対の実質的に対向するアーチ形の側部(または、端末アーチ形の側部かエッジ)97 および 97'により限定される円状部分と、一対の実質的に対向し、円状部分から外側方向に延在するくぼみ部分 201 および 201'を含む。図示した実施例では、くぼみ部分201、201'は、第１の側のエッジ203、203'および第２の側のエッジ205、205'により限定され、それぞれは、アーチ形エッジ97 および 97'から外側方向に延在する。各くぼみは、また、第３のエッジ 94, 94'により限定され、これらは、対応する第１および第２のエッジ203, 205 および 203', 205'間で延在し、かつ、円状部分から放射方向の外側に隔てられる。１実施例では、第１、第２および第３のエッジ 203, 203', 205, 205', 94 および 94' は実質的に直線のエッジであり、そして、くぼみ部分の第１および第２のエッジ203, 205 および 203', 205'は実質的に平行である。従って各くぼみ部分201 , 201'の第１、第２および第３のエッジは、一般的に方形を形成する。くぼみ部分 201 , 201 ' は別の形状としてもこの発明の範囲からそれることはない。第２の表面17は図１で直接目に見えない。 また、第１の表面14および第２の表面17は、実質的に平行な面であるとして述べている。開口20は、データ記憶媒体11内でどこに位置してもよい。しかしながら、開口20は、データ記憶媒体11の中央の領域にあるのが望ましく、つまり、データ記憶媒体11の重心中央の領域にあるのが望ましい。
【００１４】
また、データ記憶媒体11は、開口20の１つのエッジと、少なくとも１つのくぼみ部分201, 201'の１つのエッジとの交差により形成された少なくとも１つのタブ23、26を含む。ここでおよびクレームで用いられているように、“部分的に開口20内に延在する”は、タブ23 および 26は、開口20を横切ってまで別々にまたは一緒に延在しないことを意味する。タブ23と26は、データ記憶媒体11の材料と連続してもよく、または代わりに、別体がそれに、例えば、当業者に周知なように、接着剤により、付着されてもよい。望ましくは、タブ23と26は、データ記憶媒体11の材料と連続している。タブ23と26は、実質的に三角形の形を持つ。タブ23と26は、これとは別に例えばアーチ形、正方形、長方形、多角形(例えば、五角形およびそれ以上の多角形)、および異形から選択された形状であってもよい。
【００１５】
また、データ記憶アセンブリ2は、実質的に対向する第１の表面32および第２の表面35、および中央の開放部または開口38を有する硬質の支持体29を含む。図１では第２の表面35は見えない。また、第１の表面32および第２の表面35は、実質的に平行な面として記述することができます。 また、硬質支持体29は、開口38の周囲に少なくとも部分的に位置するロック装置41を含む。硬質の支持体29を表す平面図は図５に示される。
【００１６】
ロック装置41は少なくとも1個の棚(44、47)を含む。図２を参照すると、棚44には、上面45と下面50がある。硬質の支持体29の第１の表面32の部分53は棚44の下にある。棚44の下面50および、棚44の下側の第１の表面32のその部分53は共に、周囲方向に従って先細りするスロット62を決定する。先細りのスロット62には、開放端59と閉塞端56がある。図２で示されるように、スロットは、スロット59の開放端59からスロットの閉塞端56に対して(つまり周囲方向)、高さが減少する。スロットは望ましくは、半径の方向で一定の高さである。言い換えると、棚44の下面50および、硬質の支持体29の第１の表面32の縦断面は、半径方向に、一般に平行な面32、50を示す(不図示)。
【００１７】
開口38は、硬質の支持体 29内のどこに位置してもよい。しかしながら、開口38は、好ましくは硬質の支持体29の中央領域に位置し、つまり、硬質の支持体29の重心中央の領域に位置する。より好ましくは、硬質の支持体29の中央に開口38の中心が位置する。硬質の支持体の開口は、どんな適当な構成のものであってもよく、その例としては、これに限定されないが、実質的に、円形、楕円、三角形、正方形、方形、多角形、および異形を含む。この発明の好ましい実施例では、硬質の支持体の開口は実質的に円形である。
【００１８】
データ記憶アセンブリ2が組み立てられるとき、データ記憶媒体11の第２の表面17は少なくとも硬質支持体29の第１の表面32の部分に接する。データ記憶媒体11の開口20と硬質支持体29の開口38は、アーチ形のエッジ97、97'がロック装置41の外側の周辺に隣接して位置するように、実質的に並べられる。薄いフィルムデータ記憶媒体11は、棚44と47の先細りしているスロット(図３の62と62')内にタブ23 および 26が表裏反転可能に受け止められることにより、硬質の支持体29に固定される。例えば、タブ23は、表裏反転可能で回転することで先細りのスロット62内に入り込む。特に、データ記憶媒体11の第２の表面17は、開口20と38が実質的に並べられるように、硬質の支持体29の第１の表面32に対して、取り付け部で、または平面にして置かれる。データ記憶媒体11は、タブ例えばタブ44が、棚44 および 47の１つのスロットの開放端、例えば、棚44下の先細りのスロット62の開口59に入るように、その後、ロック装置41の周りで反時時計方向に回転される。これとは別に回転方向は、スロット62と62'の開口59と59'の位置によって、時計回り方向であってもよい。図３を参照。タブがさらに先細りしているスロット62内へ動かされるのに従って、少なくともタブの部分はその中へ詰め込まれる。タブの先細りしているスロット、例えば、スロット62、およびデータ記憶媒体11の厚さによって、タブも先細りしているスロット62の閉塞端56に接する。先細りのスロット62の閉塞端56は、図２に場合のように、平坦であるか、または点(例えば、断面で三角形を形成する先細りのスロット)であってもよい。
【００１９】
この発明の実施例では、硬質の支持体29の開口38は実質的に円形であり、そして、棚(例えば、棚44)は環状の棚であり、そして、先細りのスロット(例えば、スロット62)は輪状の先細りのスロットである。図３を参照すると、ロック装置41を表す平面図が示され、環状の棚44と47'の輪状の先細りしているスロット62と62'は点線で示される。図４に関して、斜視図にてロック装置41単独が示され、それの下方の硬質の支持体29は示されていない。図４では、輪状の先細りしているスロット62、開口59、閉塞端56が見えている。さらに、図４では、ロック装置41は開口39を持つ。図示した実施例では、ロック装置はおよそ10mmの厚みを持つ。しかしながら、この発明の範囲からそれることなく、ロック装置の厚さを変更できる。
【００２０】
この発明の実施例および図２を参照すると、先細りのスロット62は、実質的に平面の棚44の下面50および、棚44の下面50に対し上に傾け(傾斜)られた(棚44下方の、硬質の支持体29の第１の面32の)部分53によって実質的に決定される。
【００２１】
この発明の別実施例および図８を参照すると、先細りのスロット124は、棚44の下方の硬質の支持体29の第１の表面32の部分127に向対し、上に傾け(傾斜)られた棚44の下面130により限定される。棚44下方の部分127は実質的に平面である。
【００２２】
この発明の実施例および図９を参照すると、先細りのスロット133は、棚44下方の、硬質の支持体29の第１の表面32の部分139に対し、下に傾け(傾斜)られた棚44の下面136、および、棚44の下面136に対し、上に傾け(傾斜)られた棚44の下方の硬質の支持体29の第１の表面32の部分139によって決定される。
【００２３】
ロック装置の棚の下面に関して、「下に傾けられた」用語は水平面からの下面の変化角度を意味する。図１０に関して、下面136には、水平151から変化角度142がある。棚の下面が、その下面の下方にある硬質の支持体の第１の表面の部分に向けて、下に傾けられるなら、水平方向からの変化角度は、典型的に0°より大きく、90°未満であり、例えば0.5°から20°であり、特に1°からと10°の範囲である。
【００２４】
ロック装置の棚の下方にある硬質の支持体の第１の面の部分に関して、「上に傾けられた」用語は、水平面からの第１の表面の変化角度を意味する。図１０に関して、表面の部分139には、水平148から変化角度145がある。ロック装置の棚の下方にある硬質の支持体の第１の表面の部分が、上に傾けられるなら、水平方向からの変化角度は、典型的に0°より大きく、90°未満であり、例えば0.5°から20°であり、特に1°からと10°の範囲である。
【００２５】
図２に関して、先細りのスロット62の開放端59には、典型的には0.15mmから0.3mm、望ましくは0.2mmから0.25mmまでさらに望ましくは、0.18mmから0.23mmまでの高さを有する。閉塞端56には、0から0.3mm、望ましくは0.25mmから0.3mmまで、さらに望ましくは、0.2mmから0.25mmまでの高さがあってもよい。図２、８、９、および１０では、閉塞端56は平坦であるとして描かれている。閉塞端56には、例えば、それはアーチ形のように、いずれの適した構成であってもよい。
【００２６】
図２、８、９、および１０の先細りのスロット62、124、および133は、両表面(例えば表面50および/または53)の例えば機械加工によって形成されてもよい。ロック装置、および/または、硬質の支持体が、熱可塑性の材料から作られるとき、望ましくは、先細りのスロットを決定する表面は、モールドのプロセスの間に構成(または傾斜)される。
【００２７】
ロック装置41は、それに限定されないが、ガラス、プラスチック、および金属から作られてもよい。ロック装置41には、一体の(または実質的に連続する)構造であってもよく、または多くの(例えば、少なくとも2つ)別々のコンポーネントから作られてもよい。通常、ロック装置41は熱可塑性か熱硬化性樹脂プラスチック材料から作られる。望ましくは、ロック装置41は、熱可塑性ポリウレタン樹脂、熱可塑性のポリウレ、熱可塑性のポリイミド、熱可塑性のポリアミド、熱可塑性のポリアミドマイド、熱可塑性のポリエステル、熱可塑性のポリカーボネート、熱可塑性のポリスルホン、熱可塑性のポリケトン、熱可塑性のポリプロピレン、熱可塑性のアクリロニトリルブタジエンスチレン、およびそれらの１つ以上を含む熱可塑性の化合物からなるグループから選択された熱可塑性の材料から組み立てられる。
【００２８】
この発明の実施例では、ロック装置41の熱可塑性の材料は、グラスファイバー、炭素ファイバー、金属繊維、ポリアミド系繊維、およびそれの混合物から選択される材料で補強される。グラスファイバーなどの強化材は、熱可塑性の材料への組み込みおよび共存を強化するために、サイズ処理で通常処理されて、サイズが設定され処理される。補強の材料(例えば、グラスファイバー)が使用されるなら、例えば、強化材の量における、ロック装置41の熱可塑性の材料の典型的な存在は、ロック装置41の全重量比で5重量%から60重量%の量である。
【００２９】
図２に関しては、ロック装置41の棚44には、先細りのスロット62の開放端59と実質的に対向する斜面65を随意に含むかもしれない閉塞側を持つ。斜面65は棚44の上面45から硬質の支持体29の第１の表面32まで傾けられる。斜面65は、ロック装置41および硬質の支持体29から薄いフィルムデータ記憶媒体11の取り外しを容易にする。図示目的のために、データ記憶媒体11が例えば時計回りで回転されたとき、そして、タブ23と26がスロット62と62'から回されたとき、開口20を決定するデータ記憶媒体11は、斜面65を、棚44の上面45へスライド上昇させ、このことが硬質の支持体29の第１の表面からデータ記憶媒体11の第２の表面17の少なくとも一部を持ち上げるか上昇させることに同時に役立つ。
【００３０】
斜面65に関して、「下に傾けられた」の用語は、水平面、例えば棚の上面から斜面の変化角度に関する。図１０を参照すると、斜面65には、水平157からの変化角度154がある。
斜面65の水平157からの変化角度154は、典型的に、O°より大きく、90°未満であり、例えば、20°から60°までで望ましくは、30°から45°までの範囲である。
【００３１】
望ましくは、硬質の支持体29は、レーザ光線(例えば、デジタルアクセス装置のレーザ光線)に対して透明な材料で作られる。デジタルアクセス装置は、それに限定されないが、コンパクトディスクプレーヤ、書き換え可能なコンパクトディスクプレーヤ、ビデオディスクプレーヤ、およびDVDプレーヤを含む。そのようなレーザ光線の透明材料は、例えば、熱可塑性の重合体、無機のガラス、およびそれらの組み合わせを含む。望ましくは、硬質の支持体29は、ポリカーボネート; ポリエチレンテレフタレート; ポリスチレン; ポリウレタンエラストマー; スチレンおよびジエンゴムを備える単量体から準備されたグラフト共重合体; 周期的なポリオレフィン; アクリル重合体; およびそれの組み合わせから選択された熱可塑性の重合体から作られる。
【００３２】
硬質の支持体29は、任意に熱可塑性の材料から作られ、レーザ光線、例えば、デジタルアクセス装置のレーザ光線を、この分野で周知の方法に従って、データ記憶媒体11の第２の面17に焦点を合わせるのに役立つレンズとして機能するようにサイズが設定されてもよい。硬質の支持体29は、1.04mmから1.09mmの厚さ、例えば、1.06mmの厚みが通常ある。 代わりに、硬質の支持体は、およそ0.92mmからおよそ0.98mmの厚み(例えば、およそ0.95mmの厚さ)があってもよい。この発明の範囲から逸脱することなく、他の厚みが用いられてもよい。また、硬質の支持体29は、いずれの適当な構成、例えば、円、楕円、正方形、長方形または多角形(例えば、五角形、またはそれ以上の多角形)であってもよい。望ましくは、硬質支持体29は、実質的に円形の構成、例えば、12cmの直径を持つ。
【００３３】
図６に関して、硬質の支持体68は、くぼんだ領域83を持つ。くぼんだ領域83は少なくとも硬質の支持体68の第１の表面82の少なくとも一部によって決定される。くぼんだ領域83は側壁85によってさらに決定される。くぼんだ領域83は、表裏反転可能に薄いフィルムデータ記憶媒体11を受けるために、大きさ(寸法)が設定される。硬質の支持体68、およびそれに関連づけられたロック装置41の開口38は、共にくぼんだ領域83内にある。そのようなくぼんだ構成は、ディスク駆動方式のスピンドルドライブによるアセンブリのスピンの間、データ記憶媒体11の第２１の表面と、硬質支持体68の第１の表面82との間で駆動される空気の存在を最小にするのに役立つ。これらの表面間で駆動される空気は、硬質の支持体11からデータ記憶媒体を持ち上げる(または、ばたつく)ことをもたらし、その結果、データ記憶媒体の光学的なデータ読み出しを中断させる。
【００３４】
双方が熱可塑性の材料から作られなら、周知の射出成形、例えば、単一または複数の射出成形のプロセスの手段により、硬質の支持体29とロック装置41は、単一の連続物体として形成されてもよい。通常、硬質の支持体29とロック装置41は、別々に形成され、例えば、それぞれが射出成形によって形成されて、次に、その後のステップでお互いに固定される。硬質の支持体29にロック装置41を固定することは、周知の方法で達成されてもよく、また、それに限定されないが、接着剤および高周波の熱可塑性の溶接技術が用いられてもよい。
【００３５】
望ましくは、薄いフィルムデータ記憶媒体11は、薄いフィルムのフレキシブルなデータ記憶媒体である。ここでおよびクレームで用いたように、(薄いフィルムデータ記憶媒体に関する)「フレキシブルな」用語は、および(硬質の支持体に関する)「硬質」の用語は、互いに相対的なものである。すなわち、硬質の支持体はフレキシブルな薄いフィルムデータ記憶媒体より堅く、それに対応して、フレキシブルな薄いフィルムデータ記憶媒体は、硬質の支持体よりもよりフレキシブルである。硬質の支持体は、典型的に熱可塑性のポリカーボネートから作られ、0.95mmか1.2mmのどちらかの厚みを通常持っている堅いコンパクトディスクのものと同様の剛性がある。一般に、0.6mmにより少ないか等しい厚さ、例えば0.2mmの厚みを持つ熱可塑性のポリカーボネートのシートは、フレキシブルであると考えられ、0.6mm以上、例えば、1.2mmの厚みを持つ熱可塑性のポリカーボネートのシートは硬質と考えられる。
【００３６】
薄いフィルムデータ記憶媒体11は、例えば、薄いフィルムコンパクトディスク、薄いフィルムの書き換え可能なコンパクトディスク、薄いフィルムビデオディスクおよび薄いフィルムDVDディスクから選択されてもよい。薄いフィルムデータ記憶媒体11は、ポリカーボネート、ポリエチレンテレフタレート; ポリスチレン; スチレンおよびジエンゴムを備える単量体から準備されたグラフト共重合体; 周期的なポリオレフィン; アクリルの重合体; およびそれの組み合わせから独自に選択された少なくとも１つの層の熱可塑性の材料を含む。望ましくは、薄いフィルムデータ記憶媒体11は、ただ一つの熱可塑性の層の熱可塑性のポリカーボネートを持つ。
【００３７】
薄いフィルムデータ記憶媒体11は当業者で認識された方法によって作られてもよい。
薄いフィルムコンパクトディスクの場合では、単一層の熱可塑性シート(例えば、1枚の熱可塑性のポリカーボネート)は、通常、それのロールから連続的に引き出され、次に筒状のマイクロエンボスのロールと接触される。マイクロエンボスのロールは、一般に、金属から作られ、その表面にマイクロエンボスの特徴がエッチングされる。デジタルデータは、マイクロエンボスのロールと接触の熱可塑性のシートにマイクロエンボスされる。熱可塑性のシートは、マイクロエンボス化のステップの前または後に(望ましくは後に)、例えば、当業者で認識された真空スパッタリングの技術により、アルミニウムで金属化されてもよい。そして、保護コーティング(例えば硬質のもの)は、熱可塑性シートの表面にマイクロエンボスが適用される。プラスチックシートの印刷は、任意の追加的なコーティングのステップの次に、実行されてもよい。次のステップでは、薄いフィルムデータ記憶媒体11は、ダイカットの取り外し操作によってプラスチックシートから取り除かれ、次に、配分のために任意にパッケージされる。開口20およびタブ23と26のダイカットの形成は、ダイカット除去の前に、同時に、または、その後に、実行される。
【００３８】
薄いフィルムデータ記憶媒体11は、例えば円形、楕円、長方形で、正方形で多角形に(例えば、５角形およぞそれ以上の多角形)から選択された形状であってもよい。望ましくは、薄いフィルムデータ記憶媒体11は実質的に円形であり、例えば、12cmの直径を有する。薄いフィルムデータ記憶媒体11の厚さは、大きく変化できる。典型的に、薄いフィルムデータ記憶媒体11は、望ましくは、0.1mmから0.3mm、特に0.15mmから0.25mm、より特別には、0.18mmから0.2mmまでの厚みがある。
【００３９】
この発明の１実施例では、デジタルデータアセンブリが組み立てられる時、薄いフィルムデータ記憶媒体11の実質的に整列された開口(20および33)は、例えば、コンパクトディスクフレーヤ、書き換え可能なコンパクトディスクプレーヤ、ビデオディスクプレーヤおよびDVDディスクプレーヤから選択された形態のディスク駆動システム(不図示)りスピンドル駆動を裏反転可能に受け取るように、サイズがそれぞれ設定される。
【００４０】
この発明の特に好ましい実施例では、および図１から３を更に参照すると、硬質の支持体29の開口38は、実質的に円であり、そして、薄いフィルムデータ記憶媒体11の開口は、開口38およびロック装置41の双方の周囲に適合するようにサイズが設定される。薄いフィルムデータ記憶媒体11は、開口20の１つのエッジと、それぞれのくぼみ201 , 201'の１つのエッジとの交差点によりそれぞれが形成された２つのタブ23と26を持つ。タブ23と26は実質的に互いに180°で位置する。ロック装置41は、実質的に互いに180°で位置する２つの先細りの環状のスロット(62と62')を持つ。先細りの環状スロット62と62'の開放端59と59'は、タブ23 および 26がそれぞれ表裏反転可能に受け取られ、そして、ロック装置41の回りで薄いフィルムデータ記憶媒体11を回転することより、先細りの環状のスロット62 および 62'内に固定されるように、他方からオフセットされたものである。
【００４１】
図３を参照すると、ロック装置41の回りでデータ記憶媒体11を反時計方向に回転することにより、環状のタブ62 および 62'は、スロット内に表裏反転可能にかつ固定的に受け止められるように、先細りの環状のスロット62と62'は互いに対応するようにして位置する。データ記憶アセンブリ2がデジタルアクセス装置内で時計回りに回転するとき、スロット62と62'のそのような構成は特に望ましく、スロット62と62'内に固定されたタブ23 および 26 を維持するのに役立つ。
【００４２】
図１と２を参照すると、この発明は薄いフィルムデータ記憶媒体の支持体5を提供する。支持体5は、実質的に対向する第１および第２の表面32,35(つまり実質的に平行な第１および第２の表面32,35)を有する硬質の支持体29および開口38を含む。また、支持体5は、硬質の支持体29の開口38の周りに少なくとも部分的に置かれたロック装置41を含む。ロック装置41は、硬質の支持体29の第１の表面32の部分上方に延在する少なくとも１つの棚(44と47)を含む。棚44は、例えば、上面45と下面50を持つ。硬質の支持体29の第１の表面32の部分53は、棚44の下方に位置する。44の下面50および、棚44下方の硬質の支持体29の第１の表面32の部分53が共に先細りのスロット62を決定する。先細りのスロット62は、開放端59および閉塞端56を持つ。以前に説明したように、先細りのスロット62は、薄いフィルムデータ記憶媒体11のタブ(例えば、23か26)を表裏反転可能に受け取り、表裏反転可能に固定するために、サイズが設定される。
【００４３】
硬質の支持体29および薄いフィルムデータ記憶媒体の支持体5のロック装置41は、それぞれ前述している。薄いフィルムデータ記憶媒体11は、以前に説明したものである。
【００４４】
図７を参照すると、この発明は、また、実質的に対向する一対のアーチ状側部(または端子のアーチ状側部またはエッジ) 97および97'により一部が決定された円状部分と、前記円状部分から外側に延在する実質的に対向する一対のくぼみ201および201'を含む開口20を持つ薄いフィルムデータ記憶媒体11を提供する。図示した実施例では、各くぼみ部分201、201'は、それぞれアーチ状エッジ97 および 97'から外側に延在する、第１の側部のエッジ203、203'および第２の側部のエッジ205、205'で決定される。各くぼみはまた、対応する第１および第２のエッジ203, 205 および 203', 205'の間に延在し、円状部分から半径外側方向に隔てられた第３のエッジ94, 94'により決定される。１実施例では、くぼみ部分の第１、第２および第３のエッジ 203, 203', 205, 205', 94 および 94' は実質的に直線エッジであり、そして、各くぼみ部分の第１および第２のエッジ203, 205 および 203', 205' は実質的に平行である。くぼみ部分 201 , 201' はこの発明の範囲から逸脱することなく、別の形状であってもよい。薄いフィルムデータ記憶媒体11はまた、開口20の１つのエッジと、それぞれのくぼみ部分201、201'の１つのエッジとの交差によって形成された少なくとも１つのタブ(23および26)を含む。開口(図１および７のデータ記憶媒体の開口20のごとき)を有する薄いフィルムデータ記憶媒体は、それらのタブ(例えばタブ23および26)が、先細りのスロット62および62'内に表裏反転可能に受け止められ、固定されるという、最大の容易性を提供する。
【００４５】
この発明は、それの特定の実施例の特定の詳細を参照して説明されている。
そのような詳細は、発明の範囲を制限するために意図したものでなく、この発明の真の範囲は添付されたクレームに基づく。
【図面の簡単な説明】
【００４６】
【図１】この発明に基づくデジタルデータ記憶アセンブリの分解図である。
【図２】図１のロック装置のライン2-2での棚の断面図である。
【図３】この発明に基づくロック装置を示した平面図である。
【図４】この発明に基づくロック装置を表している斜視図である。
【図５】この発明に基づくロック装置を含む硬質の支持体を表している平面図である。
【図６】硬質の支持体を表している斜視図である。
【図７】図１の薄いフィルムデータ記憶媒体を表している平面図である。
【図８】図２に似たロック装置を表す断面図であるが、棚の下側の表面は、その下側に位置する硬質の支持体の水平な第１の表面の部分に向けて角度を持つ。
【図９】図２に似たロック装置を表す断面図であるが、棚の下側の表面および、その下側にある硬質の支持体の第１の表面の各々が、それぞれ、角度が減じられ、角度が上昇され、互いの方向に向かっている。
【図１０】図９で示したロック装置の断面図を示し、棚の下側の表面およびその下に位置する表面の角度が更に傾斜している。
【符号の説明】
【００４７】
2：データ記憶アセンブリ
11：薄いフィルムデータ記憶媒体
14：第１の表面
17：第２の表面
20：中央の開口
23、26：タブ
29：硬質支持体
38：開口
41：ロック装置
44：棚
45：上面
50：下面
56：閉塞端
59：開放端
62、62'：スロット
94, 94'：第３のエッジ 
201、201'：くぼみ部分 
203、203'：第１の側のエッジ
205、205'：第２の側のエッジ
【図１】
2006504223.tif 000003
【図２】
2006504223.tif 000004
【図３】
2006504223.tif 000005
【図４】
2006504223.tif 000006
【図５】
2006504223.tif 000007
【図６】
2006504223.tif 000008
【図７】
2006504223.tif 000009
【図８】
2006504223.tif 000010
【図９】
2006504223.tif 000011
【図１０】
2006504223.tif 000012
【国際調査報告】
2006504223.tif 000013
2006504223.tif 000014
2006504223.tif 000015
2006504223.tif 000016